(57)【要約】      （修正有）【課題】夜間にスイッチなどの位置表示をしたり、危険防止のための案内をすることができる、エネルギーを消費せず、夜間に十分な明るさで光る蓄光塗装加工品を提供する。【解決手段】住居の壁、床、外壁など、建築物の様々な部分に、蓄光塗料１４を塗布した部材を配置する。これらの部材は昼間は通常通り使用され、蓄光塗料が昼の光のエネルギーを取り入れる。そして、その蓄光塗料が夜間発光し、スイッチなどの位置表示をしたり、危険防止のための案内をする。蓄光塗料を所定の顔料１６と混ぜ合わせて一体化した顆粒１８状にして、これを一定の膜厚に塗布する。部材には、白色の下地塗料が塗布され、その上に蓄光塗料が塗布される。【選択図】図１
0003134725.tif 000002
【実用新案登録請求の範囲】
【請求項１】
建築物の内外部に固定される部材であって、その表面に蓄光塗料を塗布したことを特徴とする蓄光塗装加工品。
【請求項２】
前記部材は、配電用端子カバー又は配電用スイッチカバーであることを特徴とする請求項１に記載の蓄光塗装加工品。
【請求項３】
前記部材は、階段の滑り止めであることを特徴とする請求項１に記載の蓄光塗装加工品。
【請求項４】
前記部材は、手摺りであることを特徴とする請求項１に記載の蓄光塗装加工品。
【請求項５】
前記部材は、手摺りの支持金具であることを特徴とする請求項１に記載の蓄光塗装加工品。
【請求項６】
前記部材には、顔料と蓄光塗料とを一体化した顆粒が、一定の膜圧に塗布されていることを特徴とする請求項１乃至５に記載の蓄光塗装加工品。
【請求項７】
前記蓄光塗料は、部材の表面にライン状に塗布されていることを特徴とする請求項１乃至６に記載の蓄光塗装加工品。
【請求項８】
前記蓄光塗料は、部材の表面に島状に塗布されていることを特徴とする請求項１乃至６に記載の蓄光塗装加工品。
【請求項９】
前記部材には、白色の下地塗料が塗布され、その上に前記蓄光塗料が塗布され、最外層にトップコートが塗布された三層構造の塗布層が形成されていることを特徴とする請求項１乃至８に記載の蓄光塗装加工品。
【請求項１０】
前記部材が固定される周辺の色と同系統の色に着色した下地塗料が塗布されていることを特徴とする請求項９に記載の蓄光塗装加工品。
【請求項１１】
前記部材は透明板であって、前記蓄光塗料が塗布され、前記透明板を通過して前記蓄光塗料の光が放射されることを特徴とする請求項１乃至８に記載の蓄光塗装加工品。
【考案の詳細な説明】
【技術分野】
【０００１】
本考案は、エネルギーを消費せず、夜間に十分な明るさで光る蓄光塗装加工品に関する。
【背景技術】
【０００２】
夜間に消灯をした後に、足元を照らすためにフットライトが使用される。また、電気のスイッチの場所を知らせるために、いわゆる蛍スイッチと呼ばれるＬＥＤ付きのスイッチが使用される（特許文献１参照）。
【特許文献１】特開２００４−２０４６２８号公報
【考案の開示】
【考案が解決しようとする課題】
【０００３】
壁灯や非常口表示というように、様々な場所に簡単な夜間照明案内器具が多用されている。しかしながら、これらはいずれも長時間点灯させておくと電力を消費する。さらに故障も発生する。また、取り付け工事などに多額の費用がかかる。
上記の課題を解決するために、本考案は次のような蓄光塗装加工品を提供することを目的とする。
【課題を解決するための手段】
【０００４】
以下の構成はそれぞれ上記の課題を解決するための手段である。
〈構成１〉
建築物の内外部に固定される部材であって、その表面に蓄光塗料を塗布したことを特徴とする蓄光塗装加工品。
【０００５】
〈構成２〉
上記部材は、配電用端子カバー又は配電用スイッチカバーであることを特徴とする構成１に記載の蓄光塗装加工品。
【０００６】
〈構成３〉
上記部材は、階段の滑り止めであることを特徴とする構成１に記載の蓄光塗装加工品。
【０００７】
〈構成４〉
上記部材は、手摺りであることを特徴とする構成１に記載の蓄光塗装加工品。
【０００８】
〈構成５〉
上記部材は、手摺りの支持金具であることを特徴とする構成１に記載の蓄光塗装加工品。
【０００９】
〈構成６〉
上記部材には、顔料と蓄光塗料とを一体化した顆粒が、一定の膜圧に塗布されていることを特徴とする構成１乃至５に記載の蓄光塗装加工品。
【００１０】
〈構成７〉
上記蓄光塗料は、部材の表面にライン状に塗布されていることを特徴とする構成１乃至６に記載の蓄光塗装加工品。
【００１１】
〈構成８〉
上記蓄光塗料は、部材の表面に島状に塗布されていることを特徴とする構成１乃至６に記載の蓄光塗装加工品。
【００１２】
〈構成９〉
上記部材には、白色の下地塗料が塗布され、その上に上記蓄光塗料が塗布され、最外層にトップコートが塗布された三層構造の塗布層が形成されていることを特徴とする構成１乃至８に記載の蓄光塗装加工品。
【００１３】
〈構成１０〉
上記部材が固定される周辺の色と同系統の色に着色した下地塗料が塗布されていることを特徴とする構成９に記載の蓄光塗装加工品。
【００１４】
〈構成１１〉
上記部材は透明板であって、上記蓄光塗料が塗布され、上記透明板を通過して上記蓄光塗料の光が放射されることを特徴とする構成１乃至８に記載の蓄光塗装加工品。
【考案を実施するための最良の形態】
【００１５】
この考案では、住居の壁、床、外壁、など、建築物の様々な部分に蓄光塗料を塗布した部材を配置する。建築物の内外部に固定される部材に適用できる。これらの部材は昼間は通常通り使用され、蓄光塗料が昼の光のエネルギーを取り入れる。また、夜間であっても、照明が点灯しているときはその光エネルギを取り入れる。そして、周囲が暗くなったときに蓄光塗料が発光し、スイッチなどの位置表示をしたり、危険防止のための案内をする。
【００１６】
こうした塗料は一般の家具調度品に塗布した場合に、自然な色を阻害し違和感を生じさせる恐れがある。そこで、例えば、所定の顔料と混ぜ合わせて一体化した顆粒状にして、これを一定の膜厚に塗布する。これにより、蓄光塗料を塗布面に平均的に分散させ、エネルギーの吸収量を調整し夜間の発光の程度を最適化することができる。例えば、こうした部材を約３時間昼光環境におくと、夜間、消灯後に約５時間ほど自発光する。
【００１７】
従って、周囲が明るい間は蓄光塗料が塗布されていることを意識させない。蓄光塗料のみをそのまま部材上に塗布すると、全体に黄味を帯びた色になる。これでは部材の本来の色合いを阻害する。顔料と蓄光塗料とを混合して一体化した顆粒を塗布すると、顔料の色により部材の色を際だたせることができる。何の違和感も生じさせない。
【００１８】
また、蓄光塗料を様々な顔料と混ぜ合わせると、蓄光能力が低下する。そこで、部材には、白色の下地塗料が塗布され、その上に蓄光塗料が塗布される。これにより、反射率を高める。最外層には、摩耗や汚れを防止するために、ウレタン等のトップコートが塗布された三層構造の塗布層が形成されるとよい。
【００１９】
また、下地に白色以外の周辺色と同系統の色を塗布して、その上に蓄光塗料の層を形成することもできる。こうして、部材の周辺の壁紙や器具との色合いの調和を図り、同時に夜間の発光量や色を適正化することができる。こうした蓄光塗料は、木材やプラスチックあるいは金属に塗布することができ、電源コンセントのカバー、スイッチのカバー、階段や廊下の手摺りの支持金具、階段の滑り止め材、などに広く利用することができる。また、例えば、表札などに使用して夜間も見やすいようにすることができる。
以下、本考案の実施の形態を実施例毎に詳細に説明する。
【実施例１】
【００２０】
図１は、本考案の蓄光塗装加工品に用いる塗料の構造図である。
図の（ａ）に示すように、この塗料は蓄光塗料１４と顔料１６とを一体化して顆粒状にしたものである。一体化方法は顔料の粒と蓄光塗料１４の粒とを混合し熱的あるいは機械的に一体化させたものであればよい。顔料１６と蓄光塗料１４とが一定の割合で互いに密着していることが好ましい。
【００２１】
このような塗料を用いたのは、部材上に塗布した時にその発光量を適切に調整するためである。また、顔料の色を明瞭に引き立たせるためである。従って、それぞれの顆粒が、図の（ａ）、（ｂ）、（ｃ）に示すように、顔料１６の部分と蓄光塗料１４の部分を認識できる程度に密着一体化させたものが好ましい。
【００２２】
図２は、部材に蓄光塗料を塗布した場合の部材断面図である。
図に示すように部材１２は、金属あるいはプラスチックなどの製品である。夜間発光させる対象のものである。なお、この例の部材１２は板状のものであるが、立体的などんなものでも構わない。この表面に、図１で示したような顆粒１８を、一定の厚さになるように塗布する。顆粒１８を塗布した層の表面には、トップコート２２が塗布されている。トップコート２２は、蓄光塗料などの剥離を防止して、表面を滑らかにする。このトップコート２２は、例えば、自動車の表面仕上げなどに使用されるウレタンコートなどが好ましい。以上の構成にすると、適度に発光強度が調整された蓄光塗料層が、部材１２の表面に形成されて、スイッチなどの部材１２を夜間認識しやすくする。
【実施例２】
【００２３】
図３は、別の実施例の部材断面図である。
この図の部材１２の表面には、まず下地塗料２０を塗布する。この下地塗料２０は例えば白色とする。白色の下地塗料２０の上に、実施例１で説明したような顆粒１８が一定の厚さになるように塗布される。さらにその上に、トップコート２２が塗布される。例えば、ある蓄光塗料は薄い黄色味がかった色をしている。これをそのまま一面に塗布すると薄黄色に発光する。蓄光塗料と顔料とを一体化した顆粒を塗布すると、その顔料の色で発光しているように見える。さらに、背景色として白色の下地塗料２０を塗布すると、いっそうその色が明るく見える。下地塗料２０は蓄光塗料の発する光をよく反射し、明るい標識としての機能を発揮する。
【実施例３】
【００２４】
図４は、それぞれ本考案に係る蓄光塗装加工品の例を示す斜視図である。
図の（ａ）は、家庭やオフィス等に広く採用されている電灯スイッチ３０の例である。スナップスイッチ３１を操作して図示しない電灯をオンオフする。これを夜間に光らせるために、スイッチカバー３２に蓄光塗料を塗布する。別の実施例で説明したような蓄光塗料を使用し、多層構造にすれば、明るくしかも周囲の色と違和感のないものが得られる。例えば、周囲の壁紙が黄色であったり緑であったり薄いピンク色であったりしたとき、蓄光塗料と一体化した顔料の色や、蓄光塗料の背景にある下地塗料の色をその周囲の色と違和感のない色に選定するとよい。これによって蓄光塗料による発光色を自由に調整することができる。
【００２５】
図４の（ｂ）は大型のスイッチ３６のスイッチカバー３８に本考案を適用した例である。このスイッチには例えば、発光ダイオード等による蛍点灯管３７が取り付けられている。こうした構造のスイッチについて、そのスイッチカバー３８を、蛍光塗料を塗布したものに置き換えて、夜間の消費電力を減らすことができる。
【実施例４】
【００２６】
図４の（ｃ）は、階段や廊下の手摺りの部分斜視図である。図に示す手摺り４０は、壁などに支持金具４１を用いて固定されている。この手摺り４０や支持金具４１のいずれか一方あるいは両方に、蓄光塗料を塗布するとよい。非常に面積の広い手摺り４０に対しては、縞状に部分的に蓄光塗料を塗布するとよい。図の着色をした部分が蓄光塗料を塗布した部分である。支持金具４１などの部品は、全面的に蓄光塗料を塗布するとよい。
【実施例５】
【００２７】
図５は、本考案に係る蓄光塗装加工品を階段に適用した例の斜視図で、（ａ）は階段の部分断面斜視図、（ｂ）は滑り止めの部分断面斜視図である。この図に示すように、階段５０にはよく知られた滑り止め５２が貼り付けられている。この滑り止め５２に上記の蓄光塗料を塗布する。（ｂ）は滑り止め５２を拡大したもので、この図に示すように、滑り止め５２にはその表面に凸部６１と凹部６２が形成されている。この凹部６２に、蓄光塗料を塗布する。これによって蓄光塗料が摩耗しにくい。階段の滑り止めに蓄光塗料を使用することによって夜間、階段を安全に昇り降りすることができる。
【実施例６】
【００２８】
図６は、上記のような蓄光塗料の塗布方法説明図で、（ａ）と（ｂ）はそれぞれ別の部材の正面図で、（ｃ）はさらに別の実施例の縦断面図である。
図の（ａ）では、部材１２の表面にライン状に蓄光塗料を塗布した。例えば、ドアとか壁のように、大面積の部材１２では、蓄光塗料を全面に塗布すると価格も高くなる。また、その発光の仕方も平凡になる。ライン状に蓄光塗料を塗布することによって自由なデザインで部材を光らせることができる。（ｂ）はさらにそれを進めて、市松模様で島状に蓄光塗料１４を塗布した。島状塗布部分の形状を、丸、三角、その他自由な形に塗布しても構わない。
【実施例７】
【００２９】
（ｃ）の縦断面図に示すように、上記部材を透明板７０にすることもできる。透明板７０の下側の面に上記蓄光塗料７２が塗布されている。この透明板７０は、蓄光塗料７２を塗布した側を壁等に密着させて固定する。従って、矢印７４の方向に外光が入射する。また、蓄光塗料７２に蓄積された光は、矢印７６のように、透明板７０を通過して放射される。こうすれば、蓄光塗料７２にトップコートを施す必要が無く、例えば、ガラスやアクリル板等の透明板７０により、蓄光塗料７２の塗膜が機械的に保護される。
【図面の簡単な説明】
【００３０】
【図１】本考案の蓄光塗装加工品に用いる塗料の構造図である。
【図２】部材に蓄光塗料を塗布した場合の部材断面図である。
【図３】別の実施例の部材断面図である。
【図４】それぞれ本考案に係る蓄光塗装加工品の例を示す斜視図である。
【図５】本考案に係る蓄光塗装加工品を階段に適用した例の斜視図である。
【図６】上記のような蓄光塗料の塗布方法説明図である。
【符号の説明】
【００３１】
１２  部材
１４  蓄光塗料
１６  顔料
１８  顆粒
２０  下地塗料
２２  トップコート
【図１】
0003134725.tif 000003
【図２】
0003134725.tif 000004
【図３】
0003134725.tif 000005
【図４】
0003134725.tif 000006
【図５】
0003134725.tif 000007
【図６】
0003134725.tif 000008